(57)【特許請求の範囲】
【請求項１】
表示窓が形成されたパネル面と、前記表示窓から目視可能な領域に所定の面積の画面を表示させる表示部材とを有する電子機器の表示装置において、
前記パネル面の内側に、指示体を移動させる指示体駆動手段が設けられており、前記表示部材で表示される前記画面の一部と、前記指示体とが、前記表示窓内で重ねて目視可能に配置され、
前記指示体駆動手段が動作しているときに、前記指示体の動作領域が重なる前記画面の一部の領域に前記指示体の背景となる指示指標を表示し、前記指示体駆動手段が停止したときに、前記画面の前記指示指標が表示されていた領域とそれ以外の領域の双方に、前記指示指標以外の情報を表示させる制御部が設けられていることを特徴とする電子機器の表示装置。
【請求項２】
前記指示体は、前記表示窓から目視できない位置へ退避動作可能である請求項１記載の電子機器の表示装置。
【請求項３】
前記指示体は、前記表示窓の開口領域内で回動動作するものである請求項１または２記載の電子機器の表示装置。
【請求項４】
前記指示体は、前記表示窓の開口領域内で直線移動するものである請求項１または２記載の電子機器の表示装置。
【請求項５】
前記指示体は、前記表示窓と前記表示部材との間に位置している請求項１ないし４のいずれかに記載の電子機器の表示装置。
【請求項６】
前記表示部材は透過型であり、前記指示体は、前記表示部材の裏側に配置されている請求項１ないし４のいずれかに記載の電子機器の表示装置。
【請求項７】
前記指示指標の表示では、前記指示体の移動に伴って前記指示体の背景が変化する請求項１ないし６のいずれかに記載の電子機器の表示装置。
【発明の詳細な説明】
【０００１】
【発明の属する技術分野】
本発明は、液晶ディスプレイやエレクトロルミネッセンス（ＥＬ）ディスプレイなどの表示部材が設けられた電子機器の表示装置に係り、特に機械的に動作する指示体を前記表示部材と同じ領域に表示できるようにした電子機器の表示装置に関する。
【０００２】
【従来の技術】
車載用の電子機器や家庭用の電子機器では、その表面パネルに液晶ディスプレイやＥＬディスプレイ等のフルドットディスプレイの表示部材が設置されている。この種の表示部材は、小スペースの画面で多くの情報を表示できる利点がある。前記表示部材で表示される情報の内容は、年月日、時刻、チューナの選局チャンネル、選局周波数、ＣＤやＭＤなどのディスクや磁気テープの再生情報などである。
【０００３】
また、前記表示部材の画面に、音声出力の音量表示または音質表示をリアルタイムで行う場合がある。このような信号出力の変化を表示する手法として、前記液晶ディスプレイやＥＬディスプレイに、グラフィックイコライザとして表示したり、数値としてディジタル表示することが採用されている。
【０００４】
【発明が解決しようとする課題】
しかし、前記液晶ディスプレイやＥＬディスプレイの画面に、グラフィックイコライザを表示する場合には、その表示変化がディジタル的であり、また数値表示もディジタル的な表示しか得られない。また、前記ディスプレイに指示体（指針）が回動しているように表示することも考えられる。しかしディスプレイの画面で前記指示体（指針）を動作させる表示を行っても、ディスプレイの画面の分解能に限界があるため、前記指示体（指針）の動きはぎこちないものとなる。
【０００５】
本発明は上記従来の問題点を解決するためになされたものであり、液晶ディスプレイやＥＬディスプレイなどの画面を背景として、さらにアナログ動作を行う指示体の表示を可能とした電子機器の表示装置を提供することを目的としたものである。
【０００６】
【課題を解決するための手段】
本発明は、表示窓が形成されたパネル面と、前記表示窓から目視可能な領域に所定の面積の画面を表示させる表示部材とを有する電子機器の表示装置において、
前記パネル面の内側に、指示体を移動させる指示体駆動手段が設けられており、前記表示部材で表示される前記画面の一部と、前記指示体とが、前記表示窓内で重ねて目視可能に配置され、
前記指示体駆動手段が動作しているときに、前記指示体の動作領域が重なる前記画面の一部の領域に前記指示体の背景となる指示指標を表示し、前記指示体駆動手段が停止したときに、前記画面の前記指示指標が表示されていた領域とそれ以外の領域の双方に、前記指示指標以外の情報を表示させる制御部が設けられていることを特徴とするものである。
【０００７】
前記指示体は、前記表示窓から目視できない位置へ退避動作可能であることが好ましい。
【０００８】
例えば、前記指示体は、前記表示窓の開口領域内で回動動作するもの、または前記指示体は、前記表示窓の開口領域内で直線移動するものである。
【０００９】
前記指示体は、前記表示窓と前記表示部材との間に位置しているものであってもよいし、あるいは前記表示部材は透過型であり、前記指示体は、前記表示部材の裏側に配置されているものあってもよい。
【００１０】
前記指示体は、指針であってもよいし、あるいは図形やキャラクタの図案に形成されたものであり、この図形またはキャラクタが画面に重なる位置で移動するものであってもよい。
【００１２】
さらに、前記表示部材の画面では、前記指示体の移動に伴って前記指示体の背景が変化する表示が行われるものであってもよい。
【００１３】
前記指示指標は、音量などを意味する目盛りであってもよいし、また前記指示体として図形やキャラクタを移動させる場合には、前記指示指標が、キャラクタの移動に合う景色や模様であり、これら景色や模様が前記指示体の動きに合わせて変化するものであってもよい。
【００１４】
【発明の実施の形態】
以下に本発明について図面を用いて説明する。
【００１５】
図１は本発明の電子機器の一実施の形態として車載用電子機器を示す斜視図、図２は図１のＩＩ−ＩＩ線の部分断面図、図３は本発明の車載用電子機器の回路ブロック図、図４は動作説明のための部分正面図である。
【００１６】
図１に示す車載用電子機器の機器本体１０は、ノーズ部１１と筐体１２とから構成されている。筐体１２は金属シャーシであり、いわゆる１ＤＩＮサイズである。この筐体１２は自動車のインストルメントパネルやダッシュボード内などに埋設される。このとき前記ノーズ部１１は前記インストルメントパネルやダッシュボードの表面に現れるように設置される。
【００１７】
前記ノーズ部１１の前面がパネル面であり表示・操作面１３となっている。この表示・操作面１３には、長方形状の表示窓２１が開口しており、この表示窓２１にアクリル樹脂などの透視板２２が取付けられている。表示・操作面１３の内方には、プリント配線基板２６が固定されており、このプリント配線基板２６には、液晶ディスプレイなどの透過型の表示部材２５が実装され、その表示電極などが前記プリント配線基板２６の導体パターンに接続されている。また前記表示部材２５の背部には、表示部材２５を背後から照光するための照光部材２３が配置されている。この照光部材２３はアクリル板などの導光体であり、前記プリント配線基板２６には、前記照光部材２３に光を与えるランプなどの光源が実装されている。
【００１８】
また前記表示部材２５として、ＥＬディスプレイなどの自己発光型のものが用いられても良い。また表示部材２５は、フルドットタイプのものが使用される。
【００１９】
前記プリント配線基板２６には、指示体駆動装置３０が実装されている。この指示体駆動装置３０には、前記透視板２２と前記表示部材２５との間に延びる指示体として指針３１が設けられている。図１と図４に示すように、前記指針３１はその基端部に回動支点３３を有して回動するものであり、その回動角度が前記指示体駆動装置３０により制御される。図４に示すように、前記指針３１が立ち上がり姿勢（ｉ）となると、指針３１が表示部材２５の前方に位置し、表示窓２１から前記表示部材２５の表示画面と指針３１とが重なった状態で目視できるようになる。
【００２０】
また、前記指針３１が図４にて（ｉｉ）で示す水平姿勢になると、指針３１が操作・表示面１３のパネル面の内側に隠れ、表示窓２１から目視できない退避姿勢となる。
【００２１】
また図１に示すように、前記操作・表示面１３の前記表示窓２１以外の領域には、回転操作式の操作部材１６や押釦式の操作部材１７などが配列している。
【００２２】
図３は車載用電子機器の回路ブロックの一例を示している。
この車載用電子機器には、マイクロコンピュータなどの制御部（処理回路）１が設けられており、前記操作部材１６，１７の操作情報は前記制御部１に与えられる。また、各種表示情報は、前記制御部１から表示ドライバ３に与えられ、表示部材２５の表示が制御される。また前記制御部１からの指示信号はＤ／Ａ変換器２によりアナログ信号に変換され、指示体駆動装置３０に与えられて、前記指針３１の回転量が制御される。
【００２３】
図１に示すように、前記指示体駆動装置３０および指針３１は、２箇所に設けられており、表示窓２１からは２つの指針３１，３１を目視可能となっている。例えば、前記２つの指針３１，３１は、オーディオ音の右チャンネルと左チャンネルのそれぞれの音量レベルを指示する場合に使用される。またはオーディオ音の周波数変化など指示するものであってもよい。
【００２４】
前記指示体駆動装置３０を動作させて指針３１，３１による指示を行うか否かは、例えば前記操作部材１７を操作して選択してもよい。例えば前記操作部材１７が操作されると、制御部１がこれを認識し、前記指示体駆動装置３０に制御信号を与える。あるいは、ラジオ受信動作または、ＭＤやＣＤの再生動作などを行うときに、前記制御部１から前記指示体駆動装置３０に指示が与えられて、自動的に前記指針３１，３１の動作モードに移行してもよい。
【００２５】
図１と図４に示すように、前記指針３１，３１を動作させるときには、前記表示部材２５の画面に指示指標３２，３２を表示させる。この指示指標３２，３２は、前記指針３１，３１の背後にのみ部分的に表示される。例えば、前記指示指標３２，３２としては、所定の枠３２ｃの範囲内で色彩が画面の他の領域と異なるように表示される。そして前記枠３２ｃの中に、指針３１の回動量を示す目盛り３２ａが表示される。さらに、前記指針３１が回動するにつれて、図４において指針３１の反時計側部分３２ｂの色彩が変化する。この色彩の変化する部分は、指針３１の回動に追従して広がったり狭まったりする。
【００２６】
このように、表示部材２５の画面に指針３１の背景となる指示指標３２が表示されることで、操作者は、指針３１の動きをアナログメータと同様に視覚することができる。なお、前記指示指標３２は、指針３１が動いているときと、図４で（ｉｉ）で示す待機姿勢のときの双方において表示させたままにしておいてもよい。しかし、指針３１が（ｉｉ）で示す待機姿勢のときに、指示指標３２が消え、この領域に他の情報が表示されるようにすることが好ましい。
【００２７】
次に前記表示部材２５の表示制御の一例を説明する。
例えば、オーディオ音を発生していないときには、指示体駆動装置３０により指針３１が反時計方向へ回動させられて、指針３１が（ｉｉ）で示す退避姿勢となり、表示窓２１には前記指針３１が現れない。
【００２８】
このとき、前記表示部材２５の表示画面には、操作案内表示、時計表示、チューナの選局案内表示、電子機器の商標表示などが表示される。また、前記表示部材２５の表示画面にＴＶ受信像やカーナビゲーションシステムでの地図情報が表示されてもよい。
【００２９】
オーディオ音を発生させると自動的に、あるいは操作部材１７の操作に基づいて、指示体駆動装置３０が始動する。このとき、制御部１から表示ドライバ３に表示情報が与えられて、図１および図４に示すように、表示部材２５に指示指標３２が表示される。
【００３０】
そして音量レベルなどに応じて、指針３１が回動する。この状態は、表示窓２１を通して目視でき、指針３１と、表示部材２５の指示指標３２の表示が重ねて見えるようになる。
【００３１】
図５と図６は本発明の他の実施の形態を示している。
図５に示すものでは、表示窓２１内で且つ表示部材２５の前方において、指針３１Ａが水平方向へ直線的に移動する構造となっている。この場合の指示体駆動装置３０Ａは、一対のプーリ３０ａ，３０ｂと前記各プーリに掛けられたワイヤ３０ｃを有しているものであり、このワイヤ３０ｃに前記指針３１Ａが固定されている。いずれかのプーリがモータで回転駆動されることで、前記指針３１Ａが水平に直線的に移動する。
【００３２】
前記指針３１Ａが動作しているとき、前記表示部材２５には、指示指標３２Ａが表示される。この指示指標３２Ａには、水平方向へ並ぶ目盛り３２ａ１が表示される。また指針３１Ａが動くと、例えば前記指針３１Ａの左側の領域の色彩が変化し、この色彩の変化する領域が指針３１Ａの動きに追従して広がったり狭まったりしてもよい。
【００３３】
図６に示す実施の形態では、液晶ディスプレイなどの透過型の表示装置２５の裏側に指針３１が位置し、前記表示部材２５を透過して前記指針３１を目視できるようになっている。この場合、指針３１は、図４に示す回動式のものであってもよいし、図５に示す直線移動するものであってもよい。
【００３４】
また、本発明の表示装置は、車載用電子機器に限らず、家電製品一般に応用が可能である。例えば、表示部が設けられた電子レンジやオーブンなどのタイマー表示や、温度表示に前記表示装置を用いても良い。
【００３５】
【発明の効果】
以上に説明したように、本発明では、表示窓内に、表示部材の表示と、機械的に動作する指示体とを重ねて表示できるため、表示部材による各種情報の表示とともに、アナログ的にスムーズに動作する表示を行うことができる。
【図面の簡単な説明】
【図１】本発明の電子機器の一例として車載用電子機器を示す斜視図、
【図２】図１のＩＩ−ＩＩ線の部分断面図、
【図３】車載用電子機器の回路ブロック図、
【図４】指針の回動動作を示す部分正面図、
【図５】本発明の他の実施の形態を示す部分正面図、
【図６】本発明の他の実施の形態を示す断面図、
【符号の説明】
１０  機器本体
１１  ノーズ部
１２  筐体
１３  表示・操作面（パネル面）
１６，１７  操作部材
２１  表示窓
２２  透視板
２５  表示部材
２６  プリント配線基板
３０  指示体駆動装置
３１  指針
３２  指示指標の表示
３３  支点
【図１】
0004726278.tif 000002
【図２】
0004726278.tif 000003
【図３】
0004726278.tif 000004
【図４】
0004726278.tif 000005
【図５】
0004726278.tif 000006
【図６】
0004726278.tif 000007